(57)【特許請求の範囲】
【請求項１】
発光面から照明光を出射する際に発熱する光源と、
前記光源の発光面に対して相対し前記光源の発光面から出射された照明光を受光する受光面をその端面に有し、前記受光面で受光された前記光源からの照明光を導光する光伝達部材と、
前記光伝達部材に沿って配置され前記光源の発光面に対して相対する端面を有するとともに、前記端面の少なくとも一部が前記発光面に直接当接され前記光源の発熱を伝熱する当接部を有する放熱部材と
を具備し、
前記光伝達部材の前記端面は、前記光源の発光面内に位置する照明光入射部と、前記光源の前記発光面からはみ出す照明光非入射部とを有し、
前記放熱部材の端面は、前記当接部に加えて、光源の発光面の外側にはみ出して配置された非当接部を有し、
前記放熱部材の当接部及び非当接部は同一面にあることを特徴とする照明装置。
【請求項２】
前記光源の前記発光面は略矩形状であり、
前記光伝達部材の前記端面の前記受光面は、略円形状であることを特徴とする請求項１に記載の照明装置。
【請求項３】
前記放熱部材の前記端面の前記非当接部は、前記光源の矩形状の発光面の各辺それぞれに対して前記発光面の外側に位置することを特徴とする請求項２に記載の照明装置。
【請求項４】
前記光源は、前記発光面の反対側に、電気的に接続されているとともに、熱伝導性を有する実装基板に実装されていることを特徴とする請求項１に記載の照明装置。
【請求項５】
前記光源の周囲には、前記実装基板と前記放熱部材との間に伝熱経路を形成するための樹脂材が配設されていることを特徴とする請求項４に記載の照明装置。
【請求項６】
前記放熱部材は、前記光伝達部材が挿通された筒状の口金を備えていることを特徴とする請求項１に記載の照明装置。
【請求項７】
前記光伝達部材はライトガイドバンドルであり、
前記光源は、白色光を発光するように、ＬＥＤと前記ＬＥＤを覆う蛍光体とを備えていることを特徴とする請求項１に記載の照明装置。
【請求項８】
前記光伝達部材のうち前記光源の前記発光面に面する端面と、前記放熱部材のうち前記光源の前記発光面に面する端面とは、面一に配設されていることを特徴とする請求項１に記載の照明装置。
【請求項９】
被観察体に向かって挿入される挿入部と、
前記挿入部の基端部に配設された操作部と、
前記操作部の内部で前記光源の前記発光面と前記放熱部材の端面とが直接接続された、請求項１に記載の照明装置と
を具備することを特徴とする内視鏡。
【請求項１０】
前記放熱部材および前記光源は、熱伝導性を有する接続部材により前記操作部の内部に接続されていることを特徴とする請求項９に記載の内視鏡。
【請求項１１】
前記接続部材は、前記放熱部材に密着した状態に形成されていることを特徴とする請求項１０に記載の内視鏡。
【請求項１２】
前記接続部材は、前記光源から前記実装基板に伝えられた熱を伝熱するとともに前記実装基板を保持する保持部を備えていることを特徴とする請求項１０に記載の内視鏡。
【発明の詳細な説明】
【技術分野】
【０００１】
この発明は、例えば狭小領域内に光源を配置するなど、光源からの放熱を要する照明装置、および、このような照明装置を有する内視鏡に関する。
【背景技術】
【０００２】
例えば特許文献１に開示されているように、内視鏡の操作部の内部のような狭小空間に、内視鏡の挿入部の先端から出射させる照明装置の照明光の光源としてＬＥＤが配設されている。
【特許文献１】特開平５−１４６４０３号公報
【発明の開示】
【発明が解決しようとする課題】
【０００３】
通常、特許文献１に開示されているように、光源を狭い領域に配置して用いる場合、光源の寿命を極力長寿命化するために、光源の発光の際に生じる熱をより効率的に放熱したり、拡散したりする構造が望まれている。
【０００４】
この発明は、このような課題を解決するためになされたものであり、その目的とするところは、光源の発光の際に生じる熱を効率的に放熱し、熱を拡散することが可能な照明装置、および、このような照明装置を用いた内視鏡を提供することを目的とする。
【課題を解決するための手段】
【０００５】
上記課題を解決するために、この発明に係る照明装置は、発光面から照明光を出射する際に発熱する光源と、前記光源の発光面に対して相対し前記光源の発光面から出射された照明光を受光する受光面を有し、前記受光面で受光された前記光源からの照明光を導光する光伝達部材と、前記光伝達部材に沿って配置され前記光源の発光面に対して相対する端面を有するとともに、前記端面の少なくとも一部が前記発光面に直接当接され前記光源の発熱を伝熱する当接部を有する放熱部材とを備えている。  
光源の発光面が直接放熱部材に当接されているので、光源の発光による熱を放熱部材に直接伝熱（放熱部材で、光源の発光による熱を直接吸熱）することができる。このように、放熱部材に熱を伝熱することにより、光源に生じる熱を効率的に伝熱して、放熱部材に伝えた熱を放熱部材自体を通して熱を拡散することができる。
【０００６】
また、前記放熱部材の前記端面は、前記当接部の他に、前記光源の発光面の外側に位置する非当接部を備えていることが好適である。  
放熱部材に光源の発光面に当接されていない非当接部を有することにより、発光面に当接された当接部に直接伝熱された熱を、非当接部に伝熱してその熱を拡散させることができる。
【０００７】
また、前記光源は、前記発光面の反対側に、電気的に接続されているとともに、熱伝導性を有する実装基板に実装されていることが好適である。  
このため、光源からの熱を放熱部材だけでなく実装基板にも伝熱することにより、より効率的に熱を伝熱して拡散することができる。
【発明の効果】
【０００８】
この発明によれば、光源から生じる熱を効率的に放熱し、熱を拡散することが可能な照明装置、および、このような照明装置を用いた内視鏡を提供することができる。
【発明を実施するための最良の形態】
【０００９】
以下、図面を参照しながら本発明の実施の形態について説明する。なお、以下の実施の形態においては、内視鏡は、映像表示装置を操作部に一体的に有する可搬性に優れた医療用の内視鏡を例に挙げて説明するが、産業用（工業用）など、医療用以外にも適宜に適用することができる。
【００１０】
［第１の実施の形態］
まず、第１の実施の形態について図１ないし図７を用いて説明する。  
図１（Ａ）および図２に示すように、内視鏡１０の主要部としては、被観察体となる体腔内の被検部位に向けて挿入される挿入部１２と、この挿入部１２の基端側に連設された操作部１４とを備えている。
【００１１】
図１（Ａ）に示すように、挿入部１２の主要部としては、挿入部１２の先端側に配置された硬質の先端硬質部２２と、この先端硬質部２２の基端側に連接された湾曲部２４と、可撓性を有する細長い形状に形成され湾曲部２４の基端側に連接された可撓部２６とを備えている。可撓部２６の基端部は、操作部１４に接続されている。
【００１２】
このうち、先端硬質部２２の基材は例えば金属材であり、この基材の外周面には絶縁性を有するカバーが被覆されている。また、湾曲部２４の複数の湾曲駒やこれら湾曲駒の外周に配設される筒状のブレードは例えば金属材であり、これら湾曲駒やブレードの外周には絶縁性を有する薄肉ゴムが被覆されている。さらに、可撓部２６のフレックスは例えば金属材であり、このフレックスの外周には絶縁性を有するチューブが被覆されている。そして、先端硬質部２２の基材と湾曲部２４の複数の湾曲駒のうちの最も先端の湾曲駒とが接続されている。さらに、湾曲部２４の複数の湾曲駒のうちの最も基端の湾曲駒とフレックスとが接続されている。なお、挿入部１２の、先端硬質部２２と、湾曲部２４の湾曲駒およびブレードと、可撓部２６のフレックスとを挿通する後述するチャンネル６２のチャンネルチューブ７４には、例えばＰＴＦＥ材などの絶縁性を有するチューブが用いられている。
【００１３】
図１（Ａ）、図３ないし図５に示すように、操作部１４の主要部としては、操作部本体３２と、この操作部本体３２の上端に配設された映像表示装置３４と、操作部本体３２の下端に接続された把持部３６と、この把持部３６の下端に接続され可撓部２６の座屈を防止する折れ止め３８とを備えている。
【００１４】
把持部３６は、操作部本体３２と挿入部１２との間に設けられ、術者が内視鏡１０を把持する際、術者により把持される。把持部３６は、術者の例えば片手の親指と、その手のその他の指とによって包み込んで握ることが可能な形状に形成されている。
【００１５】
操作部本体３２には、湾曲操作レバー４２と、吸引口金４４ａを有する吸引ボタン４４と、画像スイッチ４６と、通気口金４８とが配設されている。このうち、湾曲操作レバー４２は、操作部本体３２のうち、図１（Ａ）中の矢印１０ｆで示す側（以降、前面側という）に配設されている。吸引ボタン４４および画像スイッチ４６は、操作部本体３２のうち、図１（Ａ）中の矢印１０ｂで示す側（以後、背面側という）に配設されている。さらに、通気口金４８は、前面１０ｆ側および背面１０ｂ側の一側面に配設されている。
【００１６】
図１（Ａ）および図４に示すように、湾曲操作レバー４２は、回動軸４２ａと、腕部４２ｂと、指掛部４２ｃとを備えている。回動軸４２ａは、操作部本体３２を図１（Ａ）中の左右方向に貫通するように配設されている。この回動軸４２ａは、前面１０ｆ側および背面１０ｂ側の他側面（通気口金４８とは反対側）に配設されている。そして、この回動軸４２ａは、操作部本体３２の内部で操作ワイヤ５２が巻回されたプーリ（図示せず）に固定されている。腕部４２ｂの一端は回動軸４２ａに固定されている。さらに、腕部４２ｂの他端には、指掛部４２ｃが連接されている。そして、指掛部４２ｃは、特に、把持部３６を握った術者の、例えば左手の親指によって操作可能であるように、前面１０ｆ側に配設され、かつ、把持部３６に近接する位置に設けられている。すなわち、湾曲操作レバー４２の腕部４２ｂおよび指掛部４２ｃは、略Ｌ字状に形成されている。  
なお、図４に示すように、１対の操作ワイヤ５２は、各ワイヤ長調整部５６により操作部１４の把持部３６の内部で連結されている。すなわち、操作ワイヤ５２は、第１および第２のワイヤ５２ａ，５２ｂをそれぞれ備えている。
【００１７】
第１のワイヤ５２ａは、その先端が湾曲部２４の内部の図示しない複数の湾曲駒のうち、最も先端の湾曲駒または先端硬質部２２に固定され、その基端が挿入部１２の可撓部２６を通して操作部１４の把持部３６の内部まで延出されている。
【００１８】
第２のワイヤ５２ｂは、一端が操作部本体３２の内部のプーリに固定され、他端が把持部３６の内部まで延出されている。そして、これら第１および第２のワイヤ５２ａ，５２ｂは、把持部３６の内部に配置されたワイヤ長調整部５６によってその長さを調整可能に着脱可能に連結されている。さらに、第１のワイヤ５２ａのうち、ワイヤ長調整部５６に近接する位置と湾曲部２４を除く、折れ止め３８および可撓部２６の略全長にわたって、コイル状のアングルコイル５８が被覆されている。これは、第１のワイヤ５２ａと後述する接続部材２００との間の摩擦や、第１のワイヤ５２ａが他の部材に接触したときに破損するのを防止し、第１のワイヤ５２ａを保護するためである。
【００１９】
このため、指掛部４２ｃに親指をかけて湾曲操作レバー４２を操作すると、プーリに巻回された操作ワイヤがその軸方向に移動して、湾曲部２４が湾曲される。
【００２０】
図１（Ａ）に示す吸引口金４４ａには、チューブを介して吸引装置（共に図示せず）を接続自在である。術者は、吸引装置を作動させ、吸引ボタン４４を操作することにより、管状部材であるチャンネル６２を介して、体腔内から体液や痰等を吸引することができる。なお、チャンネル６２は、図２に示すように、一端（基端）が操作部本体３２に開口され他端（先端）が先端硬質部２２の先端面に開口されるよう操作部１４および挿入部１２内に延在されている。
【００２１】
操作部本体３２の背面１０ｂ側に設けられた画像スイッチ４６は、画像記録スイッチ４６ａと、画像再生スイッチ４６ｂとを備えている。画像記録スイッチ４６ａは、映像表示装置３４の後述するモニタ部１３２に表示されている映像を、後述する記録制御回路１３８（図２参照）に接続された記録媒体に記録させる際にオンにされる。画像再生スイッチ４６ｂは、記録媒体に記録した画像を再生する際にオンにされる。
【００２２】
また、操作部本体３２の図１（Ａ）中の左側には、内視鏡１０の漏水検査の際に挿入部１２および、映像表示装置３４を備える操作部１４内に空気を送気するために用いられる通気口金４８が設けられている。通気口金４８には、内視鏡１０を滅菌処理や航空機輸送する等、陰圧下に放置する際、湾曲部２４の外周を被覆する薄肉ゴムが陰圧により破裂することがないよう、内視鏡１０の内部を大気に開放させる図示しないキャップ等が着脱自在である。
【００２３】
図２に示すように、内視鏡１０の挿入部１２および操作部１４には、チャンネル６２、照明光学系６４および観察光学系６６が配設されている。  
チャンネル６２は、挿入部１２の先端硬質部２２の開口部７２（図１（Ｂ）参照）と、この開口部７２に連結され挿入部１２を挿通するチャンネルチューブ７４（図５（Ａ）参照）と、伝熱フレーム（伝熱経路）としての分岐部７６（図５（Ａ）参照）と、伝熱フレームとしての連結筒７８（図５（Ａ）参照）と、内視鏡１０の外部の外部放熱部としての処置具挿通口（開口）８０（図５（Ａ）参照）と、吸引管路８２（図４および図５（Ａ）参照）と、吸引ボタン配設部８４（図４参照）とを備えている。
【００２４】
図５（Ａ）に示すように、分岐部７６と連結筒７８と処置具挿通口８０とは連結されている。また、分岐部７６は、把持部３６の後述する第２のフレーム１７４に連結されている。このため、操作部１４の把持部３６の内部の熱を第２のフレーム１７４から分岐部７６、連結筒７８を通して処置具挿通口８０から放熱することが可能である。
【００２５】
吸引ボタン配設部８４には、上述した、吸引口金４４ａを有する吸引ボタン４４が配設されている。また、吸引口金４４ａおよび処置具挿通口８０は、操作部１４の内部で連通されている。すなわち、吸引管路８２および分岐部７６によって、吸引ボタン配設部８４および吸引口金４４ａと、連結筒７８および処置具挿通口８０とが連通されている。
【００２６】
そして、吸引口金４４ａは操作部本体３２のうち、内視鏡１０の背面１０ｂ側に設けられている。吸引口金４４ａは、体腔内から体液や痰等の液体を吸引する際に用いられる。一方、処置具挿通口８０は把持部３６のうち、内視鏡１０の背面１０ｂ側に設けられている。処置具挿通口８０はチャンネル６２（図２参照）に鉗子等の処置具を挿抜することにより、体腔内に対して処置具を挿抜する際に用いられる。
【００２７】
図２に示すように、照明光学系（照明装置）６４は、光源ユニット９２と、ライトガイドバンドル９４と、照明窓９６（図１（Ｂ）参照）とを備えている。観察光学系６６は、観察窓１０２（図１（Ｂ）参照）と、対物レンズ１０４と、イメージガイド１０６と、結像レンズ１０８と、撮像素子１１０とを備えている。
【００２８】
図１（Ｂ）に示すように、照明窓９６および観察窓１０２は、先端硬質部２２に固定されている。図２に示すように、照明窓９６の基端側には、ライトガイドバンドル９４の先端が先端硬質部２２に固定されている。観察窓１０２の基端には対物レンズ１０４が先端硬質部２２に固定されている。さらに、対物レンズ１０４の基端側には、イメージガイド１０６の先端が先端硬質部２２に固定されている。そして、ライトガイドバンドル９４およびイメージガイド１０６は、湾曲部２４および可撓部２６を通して操作部１４に延出されている。
【００２９】
ライトガイドバンドル９４は、多数のライトガイドファイバが集められている。そして、これら集められたライトガイドファイバの外側には保護チューブが被覆されて横断面が円形状に形成されている。図６（Ａ）に示すように、ライトガイドバンドル９４の基端部には、段差９４ｂを有するライトガイド口金（照明装置の放熱部材）９４ａが接着剤により固定されている。なお、ライトガイドバンドル９４の基端面（照明光入射面、受光面）とライトガイド口金９４ａの基端面とは、面一、または、ライトガイド口金９４ａの基端面がライトガイドバンドル９４の基端面に対してさらに基端側に突出した状態に形成されている。ここでは、ライトガイドバンドル９４の基端面とライトガイド口金９４ａの基端面とが面一であるとして説明する。
【００３０】
光源ユニット９２は、操作部１４の内部に固定されている。光源ユニット９２は、光源１１２と、実装基板１１４と、リード線１１６とを備えている。図６（Ｂ）に示すように、光源１１２は、照明部として、ＬＥＤ１１８ａと、ＬＥＤ１１８ａの発光面に塗布された蛍光体１１８ｂとを備えている。ＬＥＤ１１８ａは例えば青色の光を発光する素子である。蛍光体１１８ｂは軟性体であり、例えば蛍光粉末を軟性の樹脂材に練り込んで構成されている。そして、ＬＥＤ１１８ａで青色の光を発光すると、黄色の蛍光体１１８ｂはＬＥＤ１１８ａの光を受けて白色に発光する。したがって、光源１１２は、ＬＥＤ１１８ａの青色の照明光を黄色の蛍光体１１８ｂに作用させることによって擬似白色光を発光する。
【００３１】
実装基板１１４は、例えば窒化アルミニウム等の良熱伝導性部材により、例えば小径の円盤状に形成されている。この実装基板１１４の一側面の例えば中心軸の位置には、ＬＥＤ１１８ａが実装されている。一方、実装基板１１４の他側面には、リード線１１６の一端が固定されている。なお、リード線１１６の他端は、後述する給電制御回路１３６に接続されている（図２参照）。
【００３２】
図６（Ａ）に示すように、光源１１２は、ライトガイドバンドル９４の基端に接触するように配設されている。このとき、光源１１２、ライトガイドバンドル９４および照明窓９６は光学的に接続されている。したがって、光源１１２のＬＥＤ１１８ａで発光させ、蛍光体１１８ｂで擬似白色とした照明光は、ライトガイドバンドル９４および照明窓９６を通して挿入部１２の先端から出射される。
【００３３】
図２に示す結像レンズ１０８および撮像素子１１０は、操作部本体３２に固定されている。結像レンズ１０８は、イメージガイド１０６の基端に固定されている。さらに、結像レンズ１０８による観察像の結像位置には、例えばＣＣＤ、ＣＭＯＳ等の撮像素子１１０が固定されている。このとき、観察窓１０２、対物レンズ１０４、イメージガイド１０６、結像レンズ１０８および撮像素子１１０は光学的に接続されている。したがって、照明窓９６から出射され、被検体（被観察体）Ｓ（図２参照）を照明した光の反射光は、観察窓１０２、対物レンズ１０４、イメージガイド１０６、結像レンズ１０８を通して撮像素子１１０により撮像される。このため、被検体Ｓの観察像が得られる。
【００３４】
そして、図１（Ａ）および図２に示すように、操作部本体３２には、映像表示装置３４が配設されている。映像表示装置３４は、略直方体形状（箱型）をした装置本体（筐体）１２２と、この装置本体１２２の一辺の角部から平面を形成するように内視鏡１０の前面１０ｆ側に延出されたチルトレバー（指掛部）１２４とにより外枠が形成されている。装置本体１２２とチルトレバー１２４とは、一体的に形成されている。そして、装置本体１２２の表面には、内視鏡画像を表示するモニタ部１３２が配設されている。なお、装置本体１２２は、操作部１４の上端部で回動可能に枢支されている。このため、モニタ部１３２を内視鏡１０の使用者の見易い位置に傾けることが可能である。
【００３５】
さらに、図２に示すように、装置本体１２２の内部には、バッテリ１３４と、給電制御回路１３６と、内部メモリ等の記録媒体（図示せず）を有する記録制御回路１３８と、表示素子制御回路１４０と、処理回路である撮像素子制御回路１４２とが設けられている。
【００３６】
バッテリ１３４は、給電制御回路１３６に接続されている。給電制御回路１３６は、モニタ部１３２と、記録制御回路１３８と、表示素子制御回路１４０と、撮像素子制御回路１４２とに接続されている。さらに、給電制御回路１３６は、上述した光源ユニット９２や撮像素子１１０にも電気的に接続され、これらに電力を供給する。
【００３７】
給電制御回路１３６は、バッテリ１３４から供給された電力を、光源ユニット９２と撮像素子１１０とモニタ部１３２と記録制御回路１３８と表示素子制御回路１４０と撮像素子制御回路１４２との各々に対し、各回路に対応した駆動電力を出力する。
【００３８】
また、給電制御回路１３６は、電源スイッチ１５２を含んで構成されており、電源スイッチ１５２の操作によりオン／オフが行われる。なお、バッテリ１３４には、後述する収容部のスロットに対して着脱可能な、繰り返し充電して使用することができるニ次電池が用いられる。
【００３９】
この記録制御回路１３８には、操作部本体３２に設けられた画像スイッチ４６（図３参照）や、映像表示装置３４に設けられた静止画像記録切替スイッチ１５６及び動画像記録切替スイッチ１５８（いずれも図１（Ａ）参照）からの入力信号が供給される。
【００４０】
これら各種スイッチからの入力信号に応じて、記録制御回路１３８は、内視鏡画像の信号を静止画、あるいは動画として記録、再生、静止する等の制御を行う。つまり、記録制御回路１３８は、撮像素子制御回路１４２によって信号化された被検部位Ｓの観察像を、記録媒体に格納し、その格納した信号を、再生、静止等の画像再生スイッチ４６ｂによる指示信号の入力に応じて、表示素子制御回路１４０へ出力する。  
なお、記録制御回路１３８には、上述した内部メモリ等の記録媒体だけでなく、後述する収容部のスロットに対して着脱可能な外部記録素子等の外部記録媒体が着脱自在である。
【００４１】
表示素子制御回路１４０は、記録制御回路１３８、あるいは撮像素子制御回路１４２からの信号を映像化して、モニタ部１３２に内視鏡画像を表示させる。また、記録制御回路１３８は、給電制御回路１３６へ、各種スイッチ４６，１５６，１５８からの信号入力に応じて、光源ユニット９２、撮像素子１１０および撮像素子制御回路１４２に対し、電力供給の指示信号を供給する。
【００４２】
図１に示すように、装置本体１２２の表面には、モニタ部１３２に加えて、電源スイッチ１５２、ＰＯＷＥＲ表示灯１５４、静止画像切替スイッチ１５６および動画像切替スイッチ１５８が配設されている。電源スイッチ１５２は、装置本体１２２の背面１０ｂ側に配設されている。また、ＰＯＷＥＲ表示灯１５４、静止画像切替スイッチ１５６および動画像切替スイッチ１５８は、例えばモニタ部１３２の縁部に配設されている。そして、電源スイッチ１５２やＰＯＷＥＲ表示灯１５４は、給電制御回路１３６に接続されている。このため、ＰＯＷＥＲ表示灯１５４は、電源スイッチ１５２の電源オンから点灯し続け、電源オフとともに消灯する。
【００４３】
静止画像切替スイッチ１５６や動画像切替スイッチ１５８は、記録制御回路１３８に接続されている。静止画像切替スイッチ１５６は、記録する内視鏡画像を静止画に設定する際に押圧されてオンにされる。動画像切替スイッチ１５８は、記録する内視鏡画像を動画に設定する際に押圧されてオンにされる。
【００４４】
装置本体１２２には、収容部（図示せず）と、この収容部を開閉可能な蓋体１６２とが配設されている。収容部には、例えば上述したバッテリ１３４および図示しないメモリーカード（例えばＸＤピクチャーカード（登録商標））等の外部記録素子（記憶媒体）を収容するためのスロットをそれぞれ備えている。この外部記録素子は、記録制御回路１３８の内部メモリからデータの受け渡しをすることができる。バッテリ１３４が配設されるスロットは給電制御回路１３６に接続され、メモリーカードが収容されるスロットは記録制御回路１３８に接続されている。なお、装置本体１２２に配設されるこれらの構成要素は、蓋体１６２により水密的に密閉される。
【００４５】
撮像素子１１０により撮像された被検部位Ｓの観察像は、撮像素子１１０から撮像素子制御回路１４２に出力される。撮像素子制御回路１４２は、撮像素子１１０によって撮像された被検部位Ｓの観察像を信号化して、記録制御回路１３８および表示素子制御回路１４０に出カする。
【００４６】
図４および図５（Ａ）に示すように、操作部１４の操作部本体３２および把持部３６は、それぞれ外装部材３２ａ，３６ａを備えている。これら外装部材３２ａ，３６ａは、耐薬品性、耐熱性、絶縁性を有するいわゆるエンジニアリングプラスチック（樹脂材）により形成されている。
【００４７】
操作部本体３２の外装部材３２ａの端部の外側と、把持部３６の外装部材３６ａの基端部の内側との間には、例えばＯリングなどのシール部材３７によってシールされた状態で固定されている。このため、外装部材３２ａ，３６ａの内部は水密的である。
【００４８】
そして、操作部本体３２の外装部材３２ａには、例えば上述した吸引ボタン配設部８４や、湾曲操作レバー４２の回動軸４２ａなどが配設されている。
【００４９】
把持部３６の外装部材３６ａは、筒状に形成され、先端側（挿入部１２側）に折れ止め３８が固定され、基端側（操作部本体３２側）が操作部本体３２の外装部材３２ａに固定されている。さらに、把持部３６の外装部材３６ａは、連結筒７８および処置具挿通口８０を配設するための筒状の延出部３６ｂを備えている。
【００５０】
操作部本体３２の外装部材３２ａの内側には、例えばアルミニウム等の熱容量が大きく良熱伝導性を有する金属材などで形成された第１のフレーム（介装プレート）１７２が固定されている。第１のフレーム１７２の内側には、第１のフレーム１７２と同様に、例えばアルミニウム等の金属材など、伝熱フレームとして熱容量が大きく良熱伝導性を有する第２のフレーム１７４が固定されている。第２のフレーム１７４は、把持部３６の外装部材３６ａの内側に配設されている。特に、第２のフレーム１７４は、外装部材３６ａの例えば前面１０ｆ側および背面１０ｂ側に沿って、把持部３６の先端（挿入部１２側）から基端（操作部本体３２側）までそれぞれ延在されている。そして、第２のフレーム１７４は、例えば１対であるなど複数に分割され、または、一部に切り欠きがあるなど、不連続に形成されている（図７（Ａ）ないし図７（Ｄ）参照）。なお、第２のフレーム１７４は、対称形状に限られず、外装部材３６ａ等の形状に合わせて種々の形状に形成されている。
【００５１】
各第２のフレーム１７４は、操作部本体３２の外装部材３２ａの内面に固定された第１のフレーム１７２にそれぞれビス１７３により固定されている。第２のフレーム１７４のうち、挿入部１２に近接する側は、チャンネル６２と処置具挿通口８０とが合流する分岐部７６が、図示しないビスによって第２のフレーム１７４に密着するように固定されている。
【００５２】
図５（Ａ）に示すように、分岐部７６は、第１ないし第３の口金７６ａ，７６ｂ，７６ｃを備えている。第１の口金７６ａには、挿入部１２に挿通され挿入部１２の先端で開口するチャンネルチューブ７４の基端が接続されている。第２のフレーム１７４の内側には、分岐部７６の第２の口金７６ｂが配置されている。さらに、分岐部７６の第３の口金７６ｃには、延出部３６ｂの内周面に対するナット７９ａの締め付け力によって連結筒７８が分岐部７６の第３の口金７６ｃに強く押し当てられた状態で連結されている。さらに、この連結筒７８には、処置具挿通口８０が螺合により固定されている。
【００５３】
なお、処置具挿通口８０と外装部材３６ａの延出部３６ｂとの間は例えばＯリングなどのシール部材７９ｂにより内部に液体が浸入することを防止する水密構造に形成されている。
【００５４】
処置具挿通口８０は、術者の把持領域を越えた部分（挿入部１２の基端付近）で外装部材３６ａの延出部３６ｂから外部に露出している筒状部（開口）８０ａを有する。この筒状部８０ａは外部への放熱部である。
【００５５】
処置具挿通口８０の筒状部８０ａの端部には、外方に突出したフランジ部８０ｂが形成されている。この処置具挿通口８０には、図３に示すように、後述する鉗子栓１９０が着脱可能である。
【００５６】
第２のフレーム１７４の先端には、第１および第２の連結部材１７６ａ，１７６ｂが配設されている。  
第１の連結部材１７６ａは、第２のフレーム１７４に対してビス１７７ａにより連結されている。そして、第１の連結部材１７６ａは、第２のフレーム１７４と、挿入部１２の可撓部２６とを連結している。すなわち、第１の連結部材１７６ａの内周面と、挿入部１２の可撓部２６の基端部の口金２６ａの外周面とが当接するように固定されている。
【００５７】
なお、第１の連結部材１７６ａの内周面と、可撓部２６の基端部の口金２６ａの外周面との間は例えばＯリングなどのシール部材２６ｂにより内部に液体が浸入することを防止する水密構造に形成されている。また、外装部材３６ａと第１の連結部材１７６ａとの間は例えばＯリングなどのシール部材１７７ｃにより内部に液体が浸入することを防止する水密構造に形成されている。
【００５８】
第２の連結部材１７６ｂの外周部には、ゴム材製の折れ止め３８が一体成形されている。第１の連結部材１７６ａの外周面と、第２の連結部材１７６ｂの内周面とは、螺合されている。
【００５９】
そして、これら第１のフレーム１７２、第２のフレーム１７４、分岐部７６、連結筒７８、処置具挿通口８０、連結部材１７６ａ，１７６ｂ、可撓部２６の口金２６ａは、それぞれ例えばアルミニウム等の熱容量が大きく良熱伝導性を有する金属材により形成されている。液体の流路となる符号７６，７８，８０で示す部材（図５（Ａ）参照）は、ステンレス鋼材等の耐腐食性を有する金属材料を使用しても良い。
【００６０】
図３および図５（Ｂ）に示すように、処置具挿通口８０には、鉗子栓１９０が着脱可能に配設される。図５（Ｂ）に示すように、鉗子栓１９０は、円筒状の外装１９２と、この外装１９２の内部に設けられた第１および第２のゴム弁（弁体）１９４，１９６とを備えている。これら外装１９２、第１および第２のゴム弁１９４，１９６は、絶縁性材料で形成されている。
【００６１】
第１および第２のゴム弁１９４，１９６は、外装１９２の内部で重ねられた状態に配設されている。第１のゴム弁１９４は、外装１９２の先端に当接された状態に配設されている。この第１のゴム弁１９４はスリット１９４ａを有する。第２のゴム弁１９６は、処置具（図示せず）が挿通される例えば円形状の開口１９６ａが形成されている。処置具が挿通されないときには、第１のゴム弁１９４のスリット１９４ａ同士は突き合わせられ、鉗子栓１９０の内部が密閉されている。一方、処置具が挿通されたときには、第２のゴム弁１９６の開口１９６ａの内周縁部が密着することにより、鉗子栓１９０の内部が密閉されている。
【００６２】
鉗子栓１９０の外装１９２は、処置具挿通口８０のフランジ部８０ｂに係合可能である。そして、外装１９２の基端部はフレア状であり、すなわち、円筒形本体の末端部が広げられている。このため、処置具挿通口８０は、鉗子栓１９０の外装１９２の基端部の内周面との間に隙間Ｓ２が形成されている。この隙間Ｓ２から処置具挿通口８０に伝えられた熱Ｈが放熱される。
【００６３】
また、処置具挿通口８０に装着する際には、鉗子栓１９０の樹脂材製の外装１９２の内周面の凸部１９２ａを弾性変形させながら処置具挿通口８０のフランジ部８０ｂを乗り越えるまで押し込んで装着する。図５（Ｂ）に示すように、鉗子栓１９０が装着された状態において、２つのゴム弁１９４，１９６によって、管路内が外部（外気）に対して閉塞される。
【００６４】
なお、鉗子等をチャンネルチューブ７４に挿通させる際には、鉗子栓１９０の第１のゴム弁１９４のスリット（入口）１９４ａより鉗子の先端を差し込み、第２のゴム弁１９６の開口１９６ａの縁部に密着させながら変形させて挿通させる。
【００６５】
鉗子栓１９０を処置具挿通口８０に装着した状態でも、鉗子栓１９０の外装１９２の端部は把持部３６の外装部材３６ａの延出部３６ｂに当接されるに至らないので、処置具挿通口８０の筒状部８０ａと外部との連通は確保される。すなわち、隙間Ｓ２は確保される。
【００６６】
次に、操作部１４に照明光学系６４の光源ユニット９２およびライトガイドバンドル９４を接続する構造について、図４、図６および図７を用いて説明する。
【００６７】
図４に示すように、第２のフレーム１７４と把持部３６の外装部材３６ａの内周面との間には、空間Ｓ１が形成されている。この空間Ｓ１は、上述した第１のフレーム１７２、第２のフレーム１７４、分岐部７６、連結筒７８、処置具挿通口８０、連結部材１７６ａ，１７６ｂ、可撓部２６の口金２６ａを伝熱する熱Ｈが外装部材３６ａの外部に伝熱されることを防止する断熱作用を与える。
【００６８】
把持部３６の内部の対向する第２のフレーム１７４間の空間には、チャンネル６２の吸引管路８２と、観察光学系６６のイメージガイド１０６と、湾曲操作ワイヤ５２と、照明光学系６４の光源ユニット９２およびライトガイドバンドル９４とが延在されている。すなわち、光源ユニット９２は、バッテリ１３４から供給された電力を、光源ユニット９２の実装基板１１４に伝達するため給電制御回路１３６から実装基板１１４（図６（Ａ）参照）まで延出されたリード線１１６が把持部３６の内部に延在されている。
【００６９】
対向する第２のフレーム１７４間の空間には、光源ユニット９２およびライトガイドバンドル９４を光学的に接続するとともに熱的（伝熱的）に接続する接続部材２００が配設されている。このため、接続部材２００は、伝熱フレームまたは放熱フレームとしても用いられる。具体的には、接続部材２００は、第２のフレーム１７４の内周面に密着された状態に固定されている。すなわち、接続部材２００は、光源１１２からの照明光を確実にライトガイドバンドル９４に入射するとともに、光源１１２が発光することにより光源１１２から生じる熱を接続部材２００および第２のフレーム１７４を用いて効率的に拡散させるために設けられている。
【００７０】
接続部材２００は、それぞれ筒状の、管状体２０２と、この管状体２０２の内側にそれぞれ配設される第１および第２の円筒部材２０４，２０６とを備えている。これら管状体２０２、第１の円筒部材２０４および第２の円筒部材（保持部）２０６は、熱容量が大きく良熱伝導性を示す部材（例えばアルミニウムなどの金属材等）により形成されている。
【００７１】
図６（Ａ）、図７（Ｃ）および図７（Ｄ）に示すように、操作部１４の把持部３６のフレーム１７４および管状体２０２には、それぞれネジ孔１７４ａ，２０２ｄが形成されている。そして、ネジ孔１７４ａ，２０２ｄにネジ２１２が配設されることによって、把持部３６のフレーム１７４と接続部材２００の管状体２０２とが固定されている。  
なお、図７（Ａ）ないし図７（Ｄ）に示すように、管状体２０２の横断面の外周面は、略Ｄ字状に形成されている。このため、管状体２０２の外周面には、矩形状の平面が形成されている。そして、管状体２０２は、フレーム１７４に対してその矩形状の平面で接触し、所定の状態に位置決めされている。
【００７２】
管状体２０２の内側には、例えば内径の異なる第１および第２の開口２０２ａ，２０２ｂが形成されている。管状体２０２の一端側（挿入部１２の先端部に近接する側）には、第１の開口２０２ａが形成され、他端側（挿入部１２の先端部に離隔する側）には、第２の開口２０２ｂが形成されている。第１および第２の開口２０２ａ，２０２ｂは、それぞれ、管状体２０２の内部に連通した状態に形成された略円柱状の空間である。このため、第１の開口２０２ａと第２の開口２０２ｂとの境界には段差２０２ｃが形成されている。そして、第１および第２の開口２０２ａ，２０２ｂの中心軸は、同一軸上にあることが好適である。
【００７３】
図６（Ａ）および図７（Ａ）に示すように、第１の円筒部材２０４は、中心に円柱状の貫通孔２０４ａを有するとともに、その一端部にフランジ部２０４ｂを備えている。さらに、第１の円筒部材２０４は、貫通孔２０４ａの中心に向かって側方からネジ孔２０４ｃが形成されている。
【００７４】
フランジ部２０４ｂが管状体２０２の一端に当接することにより、第１の円筒部材２０４が第１の開口２０２ａに配設される際には、管状体２０２に対して位置決めされた状態で固定されている。第１の円筒部材２０４の貫通孔２０４ａには、ライトガイドバンドル９４を被覆した状態のライトガイド口金９４ａが、第１の円筒部材２０４を側方から貫通するネジ孔２０４ｃに配設されたビス２１４により固定されている。なお、ライトガイド口金９４ａは、段差９４ｂを有するので、第１の円筒部材２０４に対して所定の位置に位置決めされた状態で固定されている。
【００７５】
そして、このようにライトガイド口金９４ａが固定された第１の円筒部材２０４が管状体２０２の第１の開口２０２ａに配設されて、第１の円筒部材２０４が管状体２０２を側方から貫通するネジ孔２０２ｅに配設されたビス２１６により固定されている。
【００７６】
図６（Ａ）および図６（Ｂ）に示すように、第２の円筒部材２０６は、中心に円柱状の貫通孔２０６ａを有するとともに、その一端部に実装基板１１４を保持する凹部２０６ｂを備えている。この凹部２０６ｂは、実装基板１１４を嵌合可能に形成されている。このため、凹部２０６ｂには実装基板１１４が嵌め込まれ、この実装基板１１４はビス２１８により凹部２０６ｂに固定されている。すなわち、光源ユニット９２は第２の円筒部材２０６に固定されている。そして、実装基板１１４から延出されたリード線１１６は第２の円筒部材２０６の貫通孔２０６ａの内部を通して第２の円筒部材２０６の基端側から延出されている。
【００７７】
そして、このように光源ユニット９２が固定された第２の円筒部材２０６が管状体２０２の第２の開口２０２ｂに配設されて、第２の円筒部材２０６が管状体２０２を側方から貫通するネジ孔２０２ｆ，２０２ｇに配設されたビス２２２，２２４により固定されている。
【００７８】
このとき、第２の円筒部材２０６の側面には、図６（Ａ）および図７（Ｄ）に示すように、円環状に長手方向位置調整用周溝２０６ｃが形成されている。この周溝２０６ｃの縦断面は、図６（Ａ）に示すように、略Ｖ字状に形成されている。また、ネジ孔２０２ｇと周溝２０６ｃとは、連通されている。このため、周溝２０６ｃには、第２の円筒部材２０６の側面を貫通したネジ孔２０２ｇを介して、周溝２０６ｃの傾斜角度と略同様の傾斜角度に尖らせた円錐状または円錐台状の先端を有するビス２２４が螺合されている。
【００７９】
そして、このビス２２４の先端の突出量を徐々に増大させていくにつれて、第２の円筒部材２０６が第１の円筒部材２０４に対して近接する。すなわち、光源１１２の蛍光体１１８ｂは、互いに面一の、ライトガイドバンドル９４およびライトガイド口金９４ａの基端部に押し付けられている。
【００８０】
この状態で、図６（Ａ）および図７（Ｃ）に示すように、第２の円筒部材２０６が管状体２０２を側方から貫通するネジ孔２０２ｆに配設されたビス２２２により固定されている。
【００８１】
光源１１２のＬＥＤ１１８ａは、通常では略直方体状に形成されている。このため、図７（Ｂ）に示すように、ＬＥＤ１１８ａは、この実施の形態では、その横断面が矩形状である。蛍光体１１８ｂは、このＬＥＤ１１８ａの発光面に塗布されている。ここで、光源１１２の発光面とは、ＬＥＤ１１８ａ自体の発光面と、ＬＥＤ１１８ａに蛍光体１１８ｂを塗布したものの照明光を発光する発光面との一方または両者を含むものとする。
【００８２】
一方、ライトガイド口金９４ａは、この実施の形態では円筒状である。そして、ライトガイドバンドル９４の外径は、矩形状のＬＥＤ１１８ａに配設（塗布）された矩形状の蛍光体１１８ｂの２対の辺のうち１対の長辺にそれぞれ接している。このため、円筒状のライトガイド口金９４ａが被覆された円柱状のライトガイドバンドル９４の基端面に対して全面に照明光を入射することができる。ライトガイドバンドル９４が光源１１２に対してこのように配置されていることにより、ライトガイド口金９４ａの基端面の一部が蛍光体１１８ｂの発光面からはみ出した状態で配設されている。また、ライトガイド口金９４ａは、ライトガイドバンドル９４の外側に配設されているので、蛍光体１１８ｂは、その四隅を残してライトガイドバンドル９４およびライトガイド口金９４ａに直接接触している。すなわち、ライトガイド口金９４ａは、光源１１２に直接当接されている部分（当接部α（図１０（Ａ）参照））と、光源１１２からはみ出した部分（非当接部β（図１０（Ａ）参照）とを備えている。
【００８３】
図７（Ｂ）に示すように、管状体２０２には、その側方から第２の開口２０２ｂの中心軸に向かって連通する確認用孔２０２ｈが形成されている。確認用孔２０２ｈは、光源１１２と、ライトガイドバンドル９４およびライトガイド口金９４ａとの間の接触状態（密着状態）を確認するための窓である。このため、光源１１２とライトガイドバンドル９４およびライトガイド口金９４ａとが接続部材２００の内部で光軸を合わせて光学的に接続されつつ、熱的に接続されているか否かを目視や図示しない小型スコープ等で確認することができる。
【００８４】
次に、この実施の形態に係る内視鏡１０の作用について説明する。  
電源スイッチ１５２をオンにすると、バッテリ１３４から光源ユニット９２に電力が供給される。このため、光源１１２のＬＥＤ１１８ａが発光する。そして、ＬＥＤ１１８ａの発光面には蛍光体１１８ｂが塗布されている。このため、光源１１２からは、照明光として擬似白色光がライトガイドバンドル９４の基端面に入射される。そして、照明光は、ライトガイドバンドル９４、照明窓９６を通して出射される。このため、観察光学系６６に入射された像がモニタ部１３２に表示される。
【００８５】
このような観察を続けていると、ＬＥＤ１１８ａは時間が経過するにつれて発熱していく。ＬＥＤ１１８ａ自体から生じる熱Ｈは、それぞれ良熱伝導性を有する実装基板１１４を通して第２の円筒部材２０６に伝熱される。このとき、実装基板１１４および第２の円筒部材２０６には熱容量が大きい部材が用いられているので、これら実装基板１１４および第２の円筒部材２０６に熱Ｈが伝熱されるとともに、熱Ｈが拡散される。
【００８６】
また、図７（Ｂ）に示すように、ライトガイド口金９４ａの基端面は、蛍光体１１８ｂに直接当接されている当接部を有するとともに、蛍光体１１８ｂの外側に外れた非当接部を有する。
【００８７】
ライトガイド口金９４ａの基端面の一部は光源１１２の発光面に当接されている。このため、ライトガイド口金９４ａは、その基端面から光源１１２自体から生じる熱Ｈを吸熱する。ライトガイド口金９４ａの基端面で吸熱された熱Ｈは、ライトガイド口金９４ａの先端面に向かって伝熱されるとともに、一部の熱Ｈは拡散される。このとき、ライトガイド口金９４ａの基端面のうち、光源１１２の外側に外れた非当接部からも熱Ｈが拡散される。
【００８８】
このように、非当接部からも熱Ｈが拡散されることにより、ライトガイド口金９４ａ自体の温度上昇が抑制される。このため、ライトガイドバンドル９４とライトガイド口金９４ａとを接着する接着剤の劣化も防止される。
【００８９】
そして、ライトガイド口金９４ａはその基端面よりも先端側で第１の円筒部材２０４に密着した状態で固定されているので、ライトガイド口金９４ａで吸熱した熱Ｈは第１の円筒部材２０４に伝熱される。このとき、第１の円筒部材２０４は熱容量が大きい部材を用いているので、第１の円筒部材２０４に伝熱されるとともに、熱Ｈが拡散される。
【００９０】
ここで、第１および第２の円筒部材２０４，２０６は管状体２０２に固定されている。このため、第１および第２の円筒部材２０４，２０６にそれぞれ伝えられた熱Ｈは管状体２０２に伝熱される。
【００９１】
また、管状体２０２は良熱伝導性を有する第２のフレーム１７４に固定されているので、熱Ｈは第２のフレーム１７４に伝熱される。このとき、管状体２０２は第２のフレーム１７４に平面で接触されている。このため、管状体２０２から第２のフレーム１７４に効率的に熱Ｈが伝熱される。
【００９２】
したがって、光源１１２が発光している際に生じる熱Ｈは、実装基板１１４側だけでなく、光源１１２の発光面に直接当接されたライトガイド口金９４ａを通して伝熱される。すなわち、光源１１２が発光した際に生じる熱Ｈは、複数の経路を通して伝熱され、かつ、拡散される。
【００９３】
また、第２のフレーム１７４に伝えられた熱Ｈは、分岐部７６、連結筒７８および処置具挿通口８０を通して放熱される。このため、光源１１２の発光の際に生じる熱Ｈは、処置具挿通口８０を通して放熱される。
【００９４】
なお、管状体２０２、第２のフレーム１７４、分岐部７６、連結筒７８および処置具挿通口８０は、熱容量が大きな部材を用いているので、熱Ｈが伝熱されるのに伴って、熱Ｈが拡散される。
【００９５】
以上説明したように、この実施の形態によれば、以下の効果が得られる。  
光源１１２を発光させたときに生じる熱Ｈを、実装基板１１４、第２の円筒部材２０６を通して管状体２０２に伝える経路と、ライトガイド口金９４ａ、第１の円筒部材２０４を通して管状体２０２に伝える経路との少なくとも２つの経路（複数の経路）により伝熱して、熱Ｈを拡散することができる。  
したがって、光源１１２を発光させているときに複数の経路を通して熱Ｈが次々に伝熱していくとともに熱Ｈが拡散していくので、熱Ｈによる光源１１２の発光効率の低下を防止して、高い発光効率を維持することができる。このため、光源１１２から生じる熱Ｈを次々に伝熱させるとともに拡散させていくことにより光源１１２のＬＥＤ１１８ａの劣化を極力遅くすることができ、ＬＥＤ１１８ａの寿命をより長期化することができる。
【００９６】
また、ライトガイド口金９４ａの基端面に光源１１２の発光面に直接当接する当接部の他に非当接部を設けて、ライトガイド口金９４ａ自体が吸熱することにより温度上昇することを抑制することができる。このため、ライトガイドバンドル９４とライトガイド口金９４ａとの間の接着剤等の劣化も防止することができる。
【００９７】
管状体２０２の外周は略Ｄ字状に形成されている。このため、管状体２０２の外周には平面を有する。そして、管状体２０２はフレーム１７４に対して平面で接触した状態に固定されている。したがって、接続部材２００とフレーム１７４とを、より広い面積で接触させることができる。このため、接続部材２００からフレーム１７４に熱Ｈを伝える場合に、より効率的に熱Ｈを伝熱することができる。
【００９８】
また、蛍光体１１８ｂはライトガイドバンドル９４およびライトガイド口金９４ａの基端面に当接されている。このため、蛍光体１１８ｂとライトガイドバンドル９４との間に空気層が形成されることが防止されている。また、蛍光体１１８ｂの中心軸とライトガイドバンドル９４の中心軸とは略一致している。このため、ＬＥＤ１１８ａから蛍光体１１８ｂを通して出射される擬似白色光は、乱反射による入射ロスを最小限にして効率良くライトガイドバンドル９４の基端面に入射されて先端面に向かって、その光を導光することができる。
【００９９】
なお、この実施の形態では、ライトガイド口金９４ａが固定された第１の円筒部材２０４を管状体２０２と別体として説明したが、管状体２０２と第１の円筒部材２０４とが一体に形成されていることも好適である。
【０１００】
また、この実施の形態では、内視鏡１０を用いて光源１１２に生じる熱Ｈを処置具挿通口８０まで伝熱して放熱させる例について説明したが、熱Ｈが処置具挿通口８０に到達する前に拡散されることもあり得ることはもちろんである。このため、この実施の形態で説明したように、内視鏡１０の操作部１４の内部に配設された照明装置において、外気と触れる部分は必ずしも必要ではない。
【０１０１】
［第２の実施の形態］
次に、第２の実施の形態について図８を用いて説明する。この実施の形態は第１の実施の形態の変形例であって、第１の実施の形態で説明した部材と同一の部材には同一の符号を付し、詳しい説明を省略する。
【０１０２】
図８に示すように、光源１１２の周囲には、絶縁性および伝熱性（放熱性）を有する接着剤（放熱性を有する樹脂材）２５０、または、絶縁性を有するとともに良熱伝導性を有する部材を練り込んだ接着剤（樹脂材）２５０が塗布されている。すなわち、光源１１２がライトガイド口金９４ａに当接されるとともに伝熱性を有する接着剤２５０で固定されている。
【０１０３】
このように接着剤２５０を実装基板１１４とライトガイド口金９４ａとの間を連結するように塗布することにより、実装基板１１４とライトガイド口金９４ａとの間に新たに伝熱経路が形成される。このため、光源１１２の側面等からライトガイド口金９４ａおよび実装基板１１４に向かって熱Ｈが流れる経路を作り出すことができるので、光源１１２のＬＥＤ１１８ａから発生する熱Ｈをさらに効率的に放熱することが可能である。また、接着剤２５０は、実装基板１１４とライトガイド口金９４ａとに伝えられた熱Ｈが平衡となるように熱Ｈが行き来し得る。このため、実装基板１１４およびライトガイド口金９４ａの一方だけに熱Ｈが多く伝わるなどの熱伝達の偏りを防止することができる。
【０１０４】
［第３の実施の形態］
次に、第３の実施の形態について図９を用いて説明する。この実施の形態は第１および第２の実施の形態の変形例であって、第１および第２の実施の形態で説明した部材と同一の部材には同一の符号を付し、詳しい説明を省略する。
【０１０５】
図９（Ａ）に示すように、ライトガイド口金９４ａは、第１および第２の実施の形態のライトガイド口金９４ａ（図６（Ａ）参照）とは異なり、段差９４ｂが設けられていないパイプ状に形成されている。このため、ライトガイド口金９４ａは第１および第２の実施の形態で説明したライトガイド口金９４ａよりも薄肉に形成されている。
【０１０６】
接続部材２００の第１の円筒部材２０４には、フランジ部２０４ｂが形成された側とは反対側に、円筒状の筒部（照明装置の伝熱部材と放熱部材とを兼ねる部材）２０４ｄが一体的に形成されている。この筒部２０４ｄの内周面は、ライトガイド口金９４ａの外周面に例えば伝熱性を有する接着剤等により密着されている。そして、ライトガイドバンドル９４、ライトガイド口金９４ａおよび第１の円筒部材２０４の筒部２０４ｄの基端面は、面一に配設されている。
【０１０７】
一方、図９（Ｂ）に示すように、光源１１２は、ＬＥＤ１１８ａの横断面が例えば略正方形状であり、ライトガイドバンドル９４の基端面が光源１１２の内側に納められている。ライトガイド口金９４ａは、光源１１２の内側に納められている部分が殆どであるが、一部が光源１１２の外側に露出されている。筒部２０４ｄの外周面は、光源１１２を全て覆うとともに、光源１１２の四隅が接している。
【０１０８】
以上説明したように、この実施の形態によれば、以下の効果が得られる。記載を省略するが、第１および第２の実施の形態で記載した効果を得ることができることはもちろんである。  
ライトガイド口金９４ａを薄肉に形成することでライトガイド口金９４ａの外径を極力細くできるので、挿入部１２の内部にライトガイドバンドル９４やライトガイド口金９４ａを挿通させ易くすることができる。このため、内視鏡１０にライトガイドバンドル９４やライトガイド口金９４ａを挿通する際に、良好な組立性を得ることができる。
【０１０９】
また、ライトガイド口金９４ａが薄肉になることで光源１１２に対するライトガイド口金９４ａの基端部の接触面積が減少するが、第１および第２の実施の形態で説明したライトガイド口金９４ａと同じように伝熱部材と放熱部材とを兼ねる部材として用いられる筒部２０４ｄでライトガイド口金９４ａを覆うことによって、筒部２０４ｄでライトガイド口金９４ａの伝熱効果を補うことができる。このため、第１の実施の形態や第２の実施の形態で説明したように熱Ｈを伝熱させることができ、熱Ｈを拡散（放熱）させることができる。むしろ、良熱伝導性を有し、熱容量の大きな第１の円筒部材２０４の筒部２０４ｄを光源１１２の蛍光体１１８ｂに直接当接させることにより、光源１１２からの放熱効果を飛躍的に向上させることができる。
【０１１０】
光源１１２の発光面のうち、光源１１２の発光面に対してライトガイドバンドル９４の基端面が当接する部分（受光面）以外の全ての領域（光源１１２の発光面のうち照明用として使用されない領域全て）がライトガイド口金９４ａおよび筒部２０４ｄの基端面に当接されている。このため、ライトガイド口金９４ａおよび筒部２０４ｄの基端面に当接された部分を光源１１２に生じる熱Ｈの放熱面とすることができる。したがって、図９（Ｂ）に示すように、光源１１２、ライトガイド口金９４ａおよび筒部２０４ｄを配置することにより、光源１１２に生じる熱Ｈの放熱効果を大きくすることができる。
【０１１１】
［第４の実施の形態］
次に、第４の実施の形態について図１０を用いて説明する。この実施の形態では第１ないし第３の実施の形態で説明した光源１１２の発光面、ライトガイドバンドル９４の基端面およびライトガイド口金９４ａの基端面の関係について、幾つかの例を挙げてより詳細に説明する。ここでは、第１ないし第３の実施の形態で説明した部材と同一の部材には同一の符号を付し、詳しい説明を省略する。
【０１１２】
なお、以下の第１例から第４例では、第３の実施の形態で説明した筒部２０４ｄを説明または図示しないが、ライトガイド口金９４ａの外側に筒部２０４ｄがある場合についても同様である。
【０１１３】
（第１例）
図１０（Ａ）に示すように、光源１１２の発光面は矩形状（略正方形状）である。ライトガイドバンドル９４の基端面は円形状である。ライトガイド口金９４ａの基端面は円環状である。光源１１２の一辺の長さはライトガイドバンドル９４の基端面の直径と略同一である。そして、光源１１２の発光面のうち対角線が交差する位置と、ライトガイドバンドル９４の基端面およびライトガイド口金９４ａの基端面の中心の位置とは略一致している。
【０１１４】
このとき、ライトガイド口金９４ａの基端面は、光源１１２の発光面に対して当接する当接部αと、光源１１２の発光面からはみ出す非当接部βとを備えている。ライトガイドバンドル９４の基端面は、光源１１２の発光面に対して当接する照明光入射部γを備えている。ライトガイドバンドル９４の照明光入射部γは、光源１１２の矩形状の発光面の対向する長辺にそれぞれ接している。
【０１１５】
（第２例）
図１０（Ｂ）に示すように、第１例と同様に、光源１１２の発光面は矩形状であり、ライトガイドバンドル９４の基端面は円形状であり、ライトガイド口金９４ａの基端面は円環状である。光源１１２の短辺の長さはライトガイド口金９４ａの基端面の直径よりもやや大きく形成されている。そして、ライトガイドバンドル９４の外周面は光源１１２の１対の短辺のうちの一方に接し、ライトガイド口金９４ａの外周面は光源１１２の１対の長辺のうちの一方に接している。このとき、ライトガイド口金９４ａの一部は光源１１２の発光面からはみ出す非当接部βである。
【０１１６】
（第３例）
図１０（Ｃ）に示すように、第１例および第２例と同様に、光源１１２の発光面は矩形状（略正方形状）であり、ライトガイドバンドル９４の基端面は円形状であり、ライトガイド口金９４ａの基端面は円環状である。光源１１２の各辺の長さは、ライトガイドバンドル９４の直径よりも小さい。そして、光源１１２の発光面のうち対角線が交差する位置と、ライトガイドバンドル９４の基端面およびライトガイド口金９４ａの基端面の中心の位置とは略一致している。
【０１１７】
このとき、ライトガイド口金９４ａの基端面は、光源１１２の発光面に対して、当接部αと、非当接部βとを備えている。また、ライトガイドバンドル９４の基端面は、光源１１２の発光面に対して当接する照明光入射部γと、光源１１２の発光面からはみ出す照明光非入射部δとを備えている。そして、ライトガイド口金９４ａの基端面の外周面には、光源１１２の四隅が接している。
【０１１８】
（第４例）
図１０（Ｄ）に示すように、第１例ないし第３例とは異なり、光源１１２の発光面は円形状であり、ライトガイドバンドル９４の基端面は正方形状（菱形状）であり、ライトガイド口金９４ａの基端面は矩形環状である。ライトガイドバンドル９４の基端面の対角線の長さは、光源１１２の直径よりも小さく形成されている。ライトガイド口金９４ａの基端面の対角線の長さは、光源１１２の直径よりも僅かに大きく形成されている。そして、光源１１２の中心の位置と、ライトガイドバンドル９４の基端面およびライトガイド口金９４ａの基端面の対角線が交差する位置とは略一致している。
【０１１９】
これら第１例ないし第４例では、光源１１２の発光面に対してライトガイドバンドル９４の基端面およびライトガイド口金９４ａの基端面をそれぞれ当接させたときに、ライトガイド口金９４ａは、ライトガイド口金９４ａの少なくとも一部が光源１１２の発光面に当接する当接部αと、少なくとも一部が光源１１２の発光面からはみ出している非当接部βとを有する。このため、当接部αで光源１１２に生じる熱Ｈを吸熱する。しかし、非当接部βが操作部１４の把持部３６の内部で空気又は接着剤２５０に接しているので、非当接部βは当接部αからの熱Ｈの拡散に寄与するとともに、ライトガイド口金９４ａの基端部が局所的に高温になることを防ぎ、ライトガイドバンドル９４とライトガイド口金９４ａとを接着する接着剤の劣化を防止できる。また、ライトガイド口金９４ａで吸熱した熱Ｈは、第１の円筒部材２０４に伝熱されるとともに熱Ｈが拡散される。
【０１２０】
また、特に、第１例、第２例および第４例では、ライトガイドバンドル９４の基端面は、光源１１２の発光面の内側にライトガイドバンドル９４の基端面が当接された照明光入射部γのみを備えている。このため、ライトガイドバンドル９４の基端面（受光面）に入射された光を効率良く伝えることができる。
【０１２１】
また、第１例ないし第３例では、ライトガイドバンドル９４の基端面を円形状、ライトガイド口金９４ａの基端面を円環状としたので、これらの周方向の向きを規定することなく使用することができる。
【０１２２】
第４例では、光源１１２を円形状として説明したが、第１例ないし第３例のように矩形状であることももちろん好適である。
【０１２３】
なお、上述した実施の形態では、光源１１２にＬＥＤ１１８ａを用いる場合について説明したが、例えば有機ＥＬ等、種々の小型光源も用いられ得る。
【０１２４】
これまで、いくつかの実施の形態について図面を参照しながら具体的に説明したが、この発明は、上述した実施の形態に限定されるものではなく、その要旨を逸脱しない範囲で行なわれるすべての実施を含む。
【図面の簡単な説明】
【０１２５】
【図１】（Ａ）は第１ないし第４の実施の形態に係る内視鏡を示す概略的な斜視図、（Ｂ）は図１（Ａ）中の矢印１Ｂで示す先端硬質部の先端面を示す概略図。
【図２】第１ないし第４の実施の形態に係る内視鏡の内部構造を示す概略図。
【図３】第１ないし第４の実施の形態に係る内視鏡の操作部を示す概略的な斜視図。
【図４】第１ないし第４の実施の形態に係る内視鏡の操作部の操作部本体および把持部の概略的な縦断面図。
【図５】第１ないし第４の実施の形態に係る内視鏡の操作部の把持部および折れ止めの概略的な縦断面図、（Ｂ）は図５（Ａ）に示す把持部に設けられた処置具挿通口に鉗子栓を装着した状態を示す概略的な部分断面図。
【図６】（Ａ）は第１の実施の形態に係る内視鏡の操作部の把持部の内部に配設される光源装置および光源装置を保持する接続部材を示す概略的な縦断面図、（Ｂ）は接続部材の第２の円筒部材に光源を実装した実装基板を固定する状態を示す概略的な部分縦断面図。
【図７】（Ａ）は第１の実施の形態に係る内視鏡の操作部の把持部の内部に配設される光源装置および光源装置を保持する接続部材の、図６（Ａ）中の７Ａ−７Ａ線に沿う概略的な横断面図、（Ｂ）は図６（Ａ）中の７Ｂ−７Ｂ線に沿う概略的な横断面図、（Ｃ）は図６（Ａ）中の７Ｃ−７Ｃ線に沿う概略的な横断面図、（Ｄ）は図６（Ａ）中の７Ｄ−７Ｄ線に沿う概略的な横断面図。
【図８】第２の実施の形態に係る内視鏡の操作部の把持部の内部に配設される光源装置および光源装置を保持する接続部材を示す概略的な縦断面図。
【図９】（Ａ）は第３の実施の形態に係る内視鏡の操作部の把持部の内部に配設される光源装置および光源装置を保持する接続部材を示す概略的な縦断面図、（Ｂ）は図９（Ａ）中の９Ｂ−９Ｂ線に沿う概略的な横断面図。
【図１０】（Ａ）ないし（Ｄ）は、それぞれ、第４の実施の形態に係る、照明装置の光源の発光面と、ライトガイドバンドルの基端面およびライトガイド口金の基端面との間の関係の例を示す概略図。
【符号の説明】
【０１２６】
９２…光源ユニット、９４…ライトガイドバンドル、９４ｂ…段差、９４ａ…ライトガイド口金、１１２…光源、１１４…実装基板、１１６…リード線、１１８ａ…ＬＥＤ、１１８ｂ…蛍光体、１７４…フレーム、１７４ａ…ネジ孔、２００…接続部材、２０２…管状体、２０２ａ…第１の開口、２０２ｂ…第２の開口、２０２ｃ…段差、２０２ｄ−２０２ｇ…ネジ孔、２０２ｈ…確認用孔、２０４…第１の円筒部材、２０４ａ…貫通孔、２０４ｂ…フランジ部、２０４ｃ…ネジ孔、２０４ｄ…筒部、２０６…第２の円筒部材、２０６ａ…貫通孔、２０６ｂ…凹部、２０６ｃ…長手方向位置調整用周溝、２１２…ネジ、２１４，２１６，２１８，２２２，２２４…ビス
【図１】
0005443677.tif 000002
【図２】
0005443677.tif 000003
【図３】
0005443677.tif 000004
【図４】
0005443677.tif 000005
【図５】
0005443677.tif 000006
【図６】
0005443677.tif 000007
【図７】
0005443677.tif 000008
【図８】
0005443677.tif 000009
【図９】
0005443677.tif 000010
【図１０】
0005443677.tif 000011